(57)【特許請求の範囲】
【請求項１】
貯蔵タンクの屋根部を貫通して該貯蔵タンク内で上下方向に延びるガイドパイプを備え、該ガイドパイプの上端側に取り付けられたバランス駆動機より巻き出す測長ワイヤの先端部にディスプレーサを取り付け、該ディスプレーサを、上記ガイドパイプの内側で上記測長ワイヤに作用する張力を基に貯蔵液体の液面に一定の吃水で配置させるときの、上記バランス駆動機からの測長ワイヤの巻き出している長さ寸法に基づいて、上記貯蔵タンク内の貯蔵液体の液位を計測するように構成されたディスプレーサ式液面計の、上記ガイドパイプの下端側にバスケット収納部を設け、該バスケット収納部内に回収用バスケットを収納し、さらに、上記バランス駆動機より巻き出す測長ワイヤに取り付けられて、上記回収用バスケットの保持又は離脱を行うようにしたバスケット保持装置を備えてなり、
上記回収用バスケットの開口部に、該開口部から外方に向かって延出し、上記バスケット収納部の内壁面と上記回収用バスケットの外面との間の隙間を覆う外側延出部と、該開口部から内方で斜め下方に向かって延出する内側延出部と、からなる延出部が設けられ、
上記バスケット保持装置が、平面視放射状に配置された３本以上のアームを有してなる上記測長ワイヤに取り付けられる取付具と、該アームに回動可能に取り付けられて上記回収用バスケットの延出部の内側延出部に係合可能に設けられた係合爪と、該係合爪が上記延出部の内側延出部に係合した状態で該係合爪の回動を停止させるストッパーと、を備えて構成されたことを特徴とするディスプレーサ式液面計のディスプレーサ回収装置。
【請求項２】
上記バスケット保持装置は、上記係合爪が、上記延出部の内側延出部に係合していない状態でも該延出部の内側延出部に係合している状態と同じ姿勢に保持され、かつ、回動することで鉛直方向に沿って略直立するよう、上記アームに取り付けられてなる第１の保持装置と、
上記係合爪が、上記延出部の内側延出部に係合していない状態で鉛直方向に沿って略直立し、かつ、回動して上記延出部の内側延出部に係合するよう、上記アームに取り付けられてなる第２の保持装置と、のいずれか一方を有していることを特徴とする請求項１記載のディスプレーサ式液面計のディスプレーサ回収装置。
【請求項３】
上記バスケット保持装置は、上記第１の保持装置と上記第２の保持装置との両方を有していることを特徴とする請求項２記載のディスプレーサ式液面計のディスプレーサ回収装置。
【請求項４】
上記回収用バスケットの延出部の外径を、上記ガイドパイプの上端部における貯蔵タンクの屋根貫通部の内径よりも小径となるようにしたことを特徴とする請求項１〜３のいずれか一項に記載のディスプレーサ式液面計のディスプレーサ回収装置。
【請求項５】
上記ガイドパイプを、該ガイドパイプの上端部における貯蔵タンクの屋根貫通部の径が、該ガイドパイプの貯蔵タンク内に位置する部分の径よりも小径となる構成とし、かつ、該ガイドパイプの下端側に、上記バスケット収納部を、レデューサを介在させて設けるようにしたことを特徴とする請求項４記載のディスプレーサ式液面計のディスプレーサ回収装置。
【発明の詳細な説明】
【技術分野】
【０００１】
本発明は、貯蔵タンク内に貯蔵されている液体の液位を計測するために用いるディスプレーサ式液面計にて、ディスプレーサに接続してあるワイヤが切れた場合に、該ワイヤの切れたディスプレーサを回収するために用いる、ディスプレーサ式液面計のディスプレーサ回収装置に関する。
【背景技術】
【０００２】
ＬＮＧ（液化天然ガス）やＬＰＧ（液化石油ガス）、その他の液化ガスの貯蔵タンクや、各種液体の貯蔵タンクにおける液位（液面の位置）を計測するための液面計の一種として、例えば図７に示す構成のディスプレーサ式液面計が知られている（例えば、特許文献１参照）。
【０００３】
図７に示すディスプレーサ式液面計Ｉは、貯蔵タンク１の屋根部１ａの上側にバランス駆動機１０を設け、該バランス駆動機１０の図示しないワイヤドラムより巻き出して上記貯蔵タンク１内へ吊り下ろした測長ワイヤ１１の下端部（先端部）に、貯蔵タンク１内の貯蔵液体４よりも比重が大きいディスプレーサ１２を取り付けたものである。
【０００４】
このディスプレーサ式液面計Ｉにあっては、測長ワイヤ１１に吊り下げられたディスプレーサ１２が貯蔵タンク１内の貯蔵液体４中に部分的に浸ると、該ディスプレーサ１２に対して貯蔵液体４に浸っている部分の体積に応じた浮力が作用するようになる。そのため、バランス駆動機１０よりディスプレーサ１２を吊り下げている測長ワイヤ１１に作用する張力が、ディスプレーサ１２が空中に吊り下げられているときに対して変化するようになっている。
【０００５】
したがって、ディスプレーサ１２の吃水が一定となるように測長ワイヤ１１に作用する張力を保持した状態で、バランス駆動機１０により測長ワイヤ１１の巻き出し、巻き取りを行うことにより、ディスプレーサ１２を、貯蔵液体４の液面に正確に追従させて昇降させることができる。よって、このようにしてディスプレーサ１２を貯蔵液体４の液面に追従させて昇降させる際に、バランス駆動機１０より巻き出している測長ワイヤ１１の長さ寸法を基に、貯蔵タンク１内の貯蔵液体４の液位を計測することができるようになっている。
【０００６】
また、このディスプレーサ式液面計Ｉでは、貯蔵タンク１内への貯蔵液体４の受け入れ等に伴って該貯蔵タンク１内の貯蔵液体４が波立つときにも、ディスプレーサ１２に対する影響を回避して貯蔵液体４の液位を計測できるようにするため、ガイドパイプ１３が、貯蔵タンク１の屋根部１ａを貫通して該貯蔵タンク１の底部近傍にまで延びて、配設されている。そして、このガイドパイプ１３の内側（内部）に、ディスプレーサ１２を配置している。なお、このガイドパイプ１３には、上下方向の所要間隔個所に導孔１４が形成されており、これによってガイドパイプ１３の内外において、貯蔵液体４の液面が同一になっている。
【０００７】
また、ガイドパイプ１３の上端部には、メンテナンス用マンホール１６を備えてなるキャリブレーションチャンバ１５が、フルボアのゲート弁１７を介して取り付けられており、該キャリブレーションチャンバ１５の上端部のフランジ１５ａには、バランス駆動機１０が取り付けられている。このバランス駆動機１０より巻き出す測長ワイヤ１１は、キャリブレーションチャンバ１５とゲート弁１７とを通って、ガイドパイプ１３の内側に配置されたディスプレーサ１２に接続している。
【０００８】
ところで、上記のディスプレーサ式液面計Ｉにあっては、測長ワイヤ１１が不測の事態で切れると、ディスプレーサ１２の変位が検出できなくなり、貯蔵液体４の液位が計測不能になってしまう。また、このように測長ワイヤ１１が切れると、ディスプレーサ１２がガイドパイプ１３の底部にまで沈下してしまう。すると、このディスプレーサ式液面計Ｉでは、沈下したディスプレーサ１２を回収する手段が設けられていないため、ディスプレーサ１２を回収することができなくなってしまう。
【０００９】
なお、このディスプレーサ式液面計Ｉが、ＬＰＧの貯蔵タンク１のように定期的に開放点検を行うようにしてある貯蔵タンクに設けられている場合には、測長ワイヤ１１が不測の事態により切れたとしても、次の開放点検時に上記ガイドパイプ１３の底部より上記測長ワイヤ１１の切れたディスプレーサ１２を回収することが可能である。よって、次の開放点検までの期間が長いときには、上記測長ワイヤ１１が切れることによって沈下したディスプレーサ１２は、次回の開放点検までガイドパイプ１３の底部に放置しておき、上記切れた測長ワイヤ１１をそのまま又は交換した後に新たなディスプレーサ１２に接続することで、ディスプレーサ式液面計Ｉの機能を回復させて運用を継続させるようにすることが可能である。
【００１０】
しかし、このディスプレーサ式液面計ＩをＬＮＧの貯蔵タンクに設ける場合には、定期的な開放点検を行わないため、万一、不測の事態によって測長ワイヤ１１が切れると、ガイドパイプ１３の底部まで沈下するディスプレーサ１２を回収する機会がないことになってしまう。さらに、ガイドパイプ１３の底部に沈下したディスプレーサ１２が長期に亘り放置されると、ディスプレーサ１２側に残った測長ワイヤ１１の切れ端が、ＬＮＧの貯蔵タンクよりＬＮＧの払い出しを行うためのポンプへ次第に吸引され、この払い出しポンプに不具合が生じる懸念もある。
【００１１】
このような背景のもとに、上記のガイドパイプ１３を有したディスプレーサ式液面計Ｉにおいて、沈下したディスプレーサ１２を回収する手段を備えてなる、ディスプレーサ回収装置が提案されている（特許文献２参照）。このディスプレーサ回収装置は、ガイドパイプの下端側にバスケット収納部を設け、このバスケット収納部内に回収用バスケットを収納し、また、この回収用バスケットの保持及び離脱を行うことができるバスケット保持装置を備えたものである。
【先行技術文献】
【特許文献】
【００１２】
【特許文献１】実開平７−２０５３１号公報
【特許文献２】特開２００９−１４４７１号公報
【発明の概要】
【発明が解決しようとする課題】
【００１３】
しかしながら、上記のディスプレーサ回収装置にあっては、そのバスケット保持装置が、吊り下げ用のワイヤと、上記回収用バスケットに係止してこれを引き上げるフックを動作させる動作用のワイヤと、を必要としているため、バランス駆動機に直接取り付けることができず、専用の仮設ウインチを必要としている。したがって、実際に回収用バスケットを回収する際には、一旦バランス駆動機を取り外し、仮設ウインチを取り付けることになる。しかし、このような仮設ウインチへの交換は非常に作業が繁雑であり、その改善が望まれている。
【００１４】
本発明は上記事情に鑑みてなされたもので、その目的とするところは、ディスプレーサを接続している測長ワイヤが切れた際、バランス駆動機から仮設ウインチへの交換を必要とすることなく、沈下したディスプレーサを容易に回収することができる、ディスプレーサ式液面計のディスプレーサ回収装置を提供することにある。
【課題を解決するための手段】
【００１５】
本発明のディスプレーサ式液面計のディスプレーサ回収装置は、貯蔵タンクの屋根部を貫通して該貯蔵タンク内で上下方向に延びるガイドパイプを備え、該ガイドパイプの上端側に取り付けられたバランス駆動機より巻き出す測長ワイヤの先端部にディスプレーサを取り付け、該ディスプレーサを、上記ガイドパイプの内側で上記測長ワイヤに作用する張力を基に貯蔵液体の液面に一定の吃水で配置させるときの、上記バランス駆動機からの測長ワイヤの巻き出している長さ寸法に基づいて、上記貯蔵タンク内の貯蔵液体の液位を計測するように構成されたディスプレーサ式液面計の、上記ガイドパイプの下端側にバスケット収納部を設け、該バスケット収納部内に回収用バスケットを収納し、さらに、上記バランス駆動機より巻き出す測長ワイヤに取り付けられて、上記回収用バスケットの保持又は離脱を行うようにしたバスケット保持装置を備えてなり、
上記回収用バスケットの開口部に、該開口部から外方に向かって延出し、上記バスケット収納部の内壁面と上記回収用バスケットの外面との間の隙間を覆う外側延出部と、該開口部から内方で斜め下方に向かって延出する内側延出部と、からなる延出部が設けられ、
上記バスケット保持装置が、平面視放射状に配置された３本以上のアームを有してなる上記測長ワイヤに取り付けられる取付具と、該アームに回動可能に取り付けられて上記回収用バスケットの延出部の内側延出部に係合可能に設けられた係合爪と、該係合爪が上記延出部の内側延出部に係合した状態で該係合爪の回動を停止させるストッパーと、を備えて構成されたことを特徴としている。
【００１６】
このディスプレーサ回収装置によれば、バスケット保持装置を、平面視放射状に配置された３本以上のアームを有し、かつ、バランス駆動機より巻き出す測長ワイヤに取り付けられる取付具と、該アームに回動可能に取り付けられて上記回収用バスケットの延出部の内側に係合可能に設けられた係合爪と、該係合爪が上記延出部の内側に係合した状態で該係合爪の回動を停止させるストッパーと、を備えて構成しているので、不測に測長ワイヤが切れてディスプレーサがガイドパイプの底部にまで沈下した際、バランス駆動機を仮設ウインチに交換することなく、その測長ワイヤにバスケット保持装置を取り付け、このバスケット保持装置によって回収用バスケットを吊り上げることにより、ディスプレーサを回収することが可能になる。
すなわち、不測に測長ワイヤが切れてディスプレーサがガイドパイプの底部にまで沈下した際、この沈下したディスプレーサは、ガイドパイプのバスケット収納部に収納された回収用バスケット内に収容される。したがって、バランス駆動機を操作してこれに吊り下げたバスケット保持装置を下降させ、係合爪を回収用バスケットの延出部の内側に係止させることにより、その後バスケット保持装置を上昇させることで回収用バスケットに収容されたディスプレーサを回収することができる。
また、ストッパーによって係合爪を延出部の内側に係合させた状態に保持できるので、このバスケット保持装置によって回収用バスケットを吊り上げ、あるいは吊り下げる際、係合爪が不測に回動して延出部への係合が解除されてしまうことが防止される。
さらに、回収用バスケットの延出部を、開口部の外方から内方にかけて延出させているので、バスケット収容部に回収用バスケットが収納されている状態で、バスケット収容部の内壁面と回収用バスケットの外面との間に隙間があっても、この隙間を上記延出部の外側で覆うことができ、したがってこの隙間に上記係合爪が不測に嵌ってしまうことが防止される。
【００１７】
また、上記ディスプレーサ回収装置において、上記バスケット保持装置は、上記係合爪が、上記延出部の内側に係合していない状態でも該延出部の内側に係合している状態と同じ姿勢に保持され、かつ、回動することで鉛直方向に沿って略直立するよう、上記アームに取り付けられてなる第１の保持装置と、上記係合爪が、上記延出部の内側に係合していない状態で鉛直方向に沿って略直立し、かつ、回動して上記延出部の内側に係合するよう、上記アームに取り付けられてなる第２の保持装置と、のいずれか一方を有しているのが好ましい。
第１の保持装置は、係合爪が、延出部の内側に係合していない状態でも該延出部の内側に係合している状態と同じ姿勢に保持され、かつ、回動することで鉛直方向に沿って略直立するよう、アームに取り付けられているので、バスケット収納部に収納された回収用バスケットを吊り上げる際、この第１の保持装置を回収用バスケットの開口部内に落とし入れ、その後引き上げることにより、係合爪を延出部の内側に容易に係合させることができる。すなわち、係合爪は通常時においても延出部に係合している状態と同じ姿勢に保持されているものの、回動することで略直立するようになっているので、第１の保持装置を回収用バスケットの開口部内に落とし入れた際、係合爪は延出部の内側に当接することで回動し、延出部に干渉しないようになる。そして、延出部の下方に至ると、延出部への当接が解除されることで再度回動し、延出部の内側に係合するようになる。
【００１８】
また、第２の保持装置は、係合爪が、延出部の内側に係合していない状態で鉛直方向に沿って略直立し、かつ、回動して上記延出部の内側に係合するよう、アームに取り付けられているので、回収用バスケットを吊り下げてこれをバスケット収納部に収納した後、吊り下げていた回収用バスケットの開口部内にこの第２の保持装置をさらに落とし込むことにより、延出部の内側に係合していた係合爪を、該延出部から容易に外すことができる。すなわち、係合爪は通常時において略直立するようになっているので、係合爪が延出部の内側に係合している状態から、第２の保持装置を回収用バスケットの開口部内にさらに落とし込むことにより、係合爪が回動して略直立し、その状態に保持される。したがって、この状態のもとで第２の保持装置を引き上げることにより、係合爪を延出部の内側に干渉させることなく、回収用バスケットから第２の保持装置を容易に取り外すことができる。
【００１９】
また、上記ディスプレーサ回収装置において、上記バスケット保持装置は、上記第１の保持装置と上記第２の保持装置との両方を有しているのが好ましい。
このようにすれば、第１の保持装置を用いることにより、バスケット収納部に収納された回収用バスケットの吊り上げを容易にすることができる。また、第２の保持装置を用いることにより、回収用バスケットを吊り下げてこれをバスケット収納部に収納するのが容易になる。
【００２０】
また、上記ディスプレーサ回収装置においては、上記回収用バスケットの延出部の外径を、上記ガイドパイプの上端部における貯蔵タンクの屋根貫通部の内径よりも小径となるようにしておくのが好ましい。
このようにすれば、バスケット収納部に収納した回収用バスケットを、上記ガイドパイプの屋根貫通部に確実に通過させることができ、したがって測長ワイヤが切れたディスプレーサの回収がより確実で容易になる。 
【００２１】
また、上記ディスプレーサ回収装置においては、上記ガイドパイプを、該ガイドパイプの上端部における貯蔵タンクの屋根貫通部の径が、該ガイドパイプの貯蔵タンク内に位置する部分の径よりも小径となる構成とし、かつ、該ガイドパイプの下端側に、上記バスケット収納部を、レデューサを介在させて設けるようにするのが好ましい。
このようにすれば、測長ワイヤが切れたディスプレーサが、たとえ該ガイドパイプの軸心部よりずれた位置に沈下しても、上記レデューサによりガイドされることで、バスケット収納部の内側の回収用バスケット内に確実に収容されるようになる。 
【発明の効果】
【００２２】
本発明のディスプレーサ式液面計のディスプレーサ回収装置にあっては、測長ワイヤが切れてディスプレーサがガイドパイプの底部にまで沈下した際、バランス駆動機を仮設ウインチへの交換することなく、その測長ワイヤにバスケット保持装置を取り付け、このバスケット保持装置によって回収用バスケットを吊り上げることにより、ディスプレーサを回収することができるようにしたので、従来のようにディスプレーサを回収する際、一旦バランス駆動機を取り外し、その後仮設ウインチを取り付けるといった繁雑な作業が不要になり、作業性を格段に向上することができる。また、ディスプレーサの回収用に、バランス駆動機とは別に仮設ウインチを備える必要が無くなり、したがって、仮設ウインチの保守管理が不要になってその分のコストを削減することができる。さらに、仮設ウインチに要する設備費も不要にして、ディスプレーサ回収装置全体の設備費を安価にすることができる。
また、回収用バスケットの吊り上げあるいは吊り下げの際、係合爪が不測に回動して延出部への係合が解除されてしまうことが、ストッパーによって防止されているので、回収用バスケットの吊り上げあるいは吊り下げをより確実に行うことができる。
さらに、バスケット収容部の内壁面と回収用バスケットの外面との間の隙間に係合爪が不測に嵌ってしまうことが、回収用バスケットの延出部によって防止されているので、回収用バスケットの吊り上げあるいは吊り下げをより容易にかつ確実に行うことができる。
【図面の簡単な説明】
【００２３】
【図１】本発明のディスプレーサ式液面計のディスプレーサ回収装置の一実施形態を示す図であって、（ａ）はディスプレーサ液面計の通常運用状態を示す要部側断面図、（ｂ）はディスプレーサの回収を行う状態を示す要部側断面図である。
【図２】図１の装置における回収用バスケットとバスケット保持装置とを拡大して示す要部拡大断面図である。
【図３】第１の保持装置の概略構成を示す図であって、（ａ）は側面図、（ｂ）は平面図、（ｃ）は要部拡大図である。
【図４】第２の保持装置の概略構成を示す図であって、（ａ）は側面図、（ｂ）は要部拡大図である。
【図５】（ａ）、（ｂ）は第１の保持装置の動作を説明するための側面図である。
【図６】（ａ）、（ｂ）は第２の保持装置の動作を説明するための側面図である。
【図７】従来のディスプレーサ式液面計のディスプレーサ回収装置の一例の概略構成を示す要部側断面図である。
【発明を実施するための形態】
【００２４】
以下、本発明のディスプレーサ式液面計のディスプレーサ回収装置を詳しく説明する。
図１（ａ）、（ｂ）、図２は本発明のディスプレーサ式液面計のディスプレーサ回収装置の一実施形態を示す図であり、これらの図において符号１は貯蔵タンクである。この貯蔵タンク１は、貯蔵液体としてＬＮＧ（液化天然ガス）４ａを貯蔵するもので、図７に示した例と同様に、ガイドパイプ１３を備えた形式のディスプレーサ式液面計Ｉを備えたものである。なお、図１（ａ）、（ｂ）、図２において、図７と同じ構成要素には同一の符号を付し、その説明を省略する。
【００２５】
ガイドパイプ１３の下端部には、図１（ａ）に示すように、バスケット収納部２１が形成され、該バスケット収納部２１には、ディスプレーサ１２の回収用バスケット２２が収納されている。そして、このディスプレーサ式液面計Ｉには、バランス駆動機１０の測長ワイヤ１１が切れてディスプレーサ１２がガイドパイプ１３の底部にまで沈下した際、図１（ｂ）に示すように回収用バスケット２２を吊り上げることでディスプレーサ１２を回収するようにした、バスケット保持装置（第１の保持装置２４）が備えられている。
【００２６】
ガイドパイプ１３は、その上端部における貯蔵タンク１の屋根部１ａを貫通する部分（以下、屋根貫通部と云う）１３ａが、比較的細径に形成されており、一方、貯蔵タンク１内に位置する部分１３ｂが、屋根貫通部１３ａよりも太径となるように形成されている。これにより、ガイドパイプ１３の屋根貫通部１３ａでは、外部から貯蔵タンク１内への入熱が抑えられ、さらに、該屋根貫通部１３ａの上側に連結するゲート弁１７として、口径の小さなものが用いられるようになっている。
【００２７】
なお、上記ガイドパイプ１３における屋根貫通部１３ａと貯蔵タンク１内に位置する部分１３ｂとの間には、上端側より下端側へ向けて徐々に拡径するテーパ部１３ｃが設けられており、これによってガイドパイプ１３の周壁面に、上下方向の段差が形成されないようになっている。
【００２８】
また、上記ガイドパイプ１３の下端側には、上記屋根貫通部１３ａと同径か、もしくは、やや小さい径で、かつ回収用バスケット２２の高さ寸法に対応した深さ寸法を有するバスケット収納部２１が、レデューサ１９を介して一体に形成されている。レデューサ１９は、ガイドパイプ１３からバスケット収納部２１にかけて、漸次縮径してなるものである。バスケット収納部２１は、図２に示すように、その下端部に例えば十文字形状の底部（図示せず）を有したもので、その内部に、回収用バスケット２２を上方より挿入した状態で保持するようになっている。
【００２９】
上記回収用バスケット２２は、バスケット収納部２１の内径に対応した外径、すなわちこれより僅かに小さい外径を有し、かつ、バスケット収納部２１の高さにほぼ等しい高さ寸法を有した有底円筒状のものである。すなわち、この回収用バスケット２２は、円筒状の側壁２２ａの下端部に、例えばメッシュ状の底部２２ｂを取り付けたもので、これによってこの回収用バスケット２２内をＬＮＧ４ａが流通できるようにしたものである。
【００３０】
また、この回収用バスケット２２には、その側壁２２ａの上端部、すなわち回収用バスケット２２の開口部に、周方向の全周に亘って、その外方から内方にかけて延出し、かつ外側から内側にかけて下方に向かって傾斜する延出部２３が設けられている。この延出部２３は、開口部から外方で斜め上方に向かって延出する外側延出部２３ａと、開口部から内方で斜め下方に向かって延出する内側延出部２３ｂと、からなっている。これら外側延出部２３ａと内側延出部２３ｂとは一枚の板材によって一体に形成されており、したがってその上面は、上記したように外側から内側にかけて下方に向かって傾斜する連続した傾斜面となっている。
【００３１】
また、これら外側延出部２３ａと内側延出部２３ｂとからなる延出部２３は、上記レデューサ１９の内壁面よりなる斜面に沿うよう、斜め下方に向かって傾斜しており、これによってこの延出部２３は、上記レデューサ１９の斜面との間で大きな段差を形成しないようになっている。そして、特に外側延出部２３ａは、バスケット収容部２１の内壁面と回収用バスケット２２の外面との間の隙間を覆うようになっており、これによってバスケット保持装置が、上記の隙間に不測に嵌ってしまわないようになっている。また、内側延出部２３ｂには、バスケット保持装置の係合爪が下方から係合するようになっている。
【００３２】
上記バスケット保持装置は、本実施形態では図３に示す第１の保持装置２４と、図４に示す第２の保持装置２５とを備えて構成されている。
第１の保持装置２４は、上記バランス駆動機１０により、測長ワイヤ１１を介して操作可能に構成されたもので、図３（ａ）に示すように、３本のアーム２７を有してなる取付具２６と、上記アーム２７に回動可能に取り付けられた係合爪２９と、該係合爪２９の回動を停止させるストッパー２８と、を備えて構成されたものである。
【００３３】
取付具２６は、３本のアーム２７がそれぞれの上端部にて一体に連結してなるもので、この連結部２６ａに、上記バランス駆動機１０の測長ワイヤ１１に取り付けられる貫通孔２６ｂを形成したものである。
【００３４】
アーム２７は、上記の連結部２６ａより外側に向かって下降するよう傾斜した板体３０ａと、この板体３０ａの下端部より内側に向かって下降するよう傾斜した板体３０ｂと、この板体３０ｂの下端部より垂下した板体３０ｃと、からなっている。これら３本のアーム２７は、アルミニウム等の軽量金属、あるいはステンレス等からなっており、上記連結部２６ａに対して平面視放射状に開いた状態に連結されている。なお、これら３本のアーム２７は、連結部２６ａに対してその周方向に等間隔に配置されており、したがって図３（ｂ）の平面図に示すように、隣り合うアーム２７どうしのなす角度が、１２０°となるように平面視放射状に配置されている。このような構成により、３本のアーム２７は、後述するように回収用バスケット２２を吊り上げ、あるいは吊り下げた際、一方に傾くことなく、バランス良く吊ることができるようになっている。なお、このように回収用バスケット２２をバランス良く吊ることができれば、アーム２７は４本以上であってもよいのはもちろんである。
【００３５】
係合爪２９は、図３（ｃ）に示すように上記板体３０ｃの下端部外側に設けられたもので、略平行四辺形状に形成された板材からなり、その一端側の回動点２９ａにて、板体３０ｃに回動可能に取り付けられたものである。また、上記板体３０ｃの下端部内側には、係合爪２９に接するようにして、ストッパー２８が設けられている。このストッパー２８は、その係合爪２９側の辺２８ａを上下方向に沿わせて、上記板体３０ｃの中心線にほぼ一致するようにして配置されている。
【００３６】
このような構成のもとに係合爪２９は、図３（ｃ）中実線で示す位置から図３（ｃ）中二点鎖線で示す位置までの範囲を回動可能とされ、この範囲の外側への回動については、ストッパー２８によって停止させられるようになっている。また、係合爪２９は、その回動点２９ａがストッパー２８側の下端に偏って配置されていることにより、その重心が回動点２９ａより外側（ストッパー２８と反対の側）に位置し、したがって係合爪２９に外力が加えられていない通常時には、図３（ｃ）中実線で示したように、外側に倒れて板体３０ｃの外側に飛び出すようになっている。また、ストッパー２８側への外力を受けると、図３（ｃ）中二点鎖線で示したように内側に回動し、上下方向に略直立することで板体３０ｃの内側に納まるようになっている。したがって、このような構成によって係合爪２９は、特に外側に倒れて板体３０ｃの外側に飛び出すことにより、上記回収用バスケット２２の内側延出部２３ｂに係脱可能に係合するようになっている。
【００３７】
図４（ａ）に示すように第２の保持装置２５は、第１の保持装置２４に対して、係合爪３１とストッパー３２の構成が異なっている。なお、その他の構成については第１の保持装置２４と同じであり、したがってその説明を省略する。
第２の保持装置２５の係合爪３１は、図４（ｂ）に示すように上記係合爪２９に比べて長く形成されており、また、その回動点３１ａが、その上部側で、かつ板体３０ｃの外側の下端に偏って配置されている。一方、ストッパー３２は、上記ストッパー２８に対してその下端部内側が斜めに切り欠かれており、これによって係合爪３１の下端部側に対する規制を部分的になくしている。
【００３８】
このような構成のもとに係合爪３１は、図４（ｂ）中実線で示す位置から図４（ｂ）中二点鎖線で示す位置までの範囲を回動可能とされ、この範囲の外側への回動については、ストッパー３２によって停止させられるようになっている。また、係合爪３１は、その回動点３１ａがその上部側で、かつ板体３０ｃの外側の下端に偏って配置されていることにより、その重心が回動点２９ａより内側（ストッパー２８側）に位置し、したがって係合爪２９に外力が加えられていない通常時には、図４（ｂ）中二点鎖線で示したように、上下方向に略直立することで板体３０ｃの内側に閉じるようになっている。また、その下端部側がストッパー３２側に向かう外力を受けると、図４（ｂ）中実線で示したようにその上端部が外側に回動し、板体３０ｃの外側に飛び出すようになっている。したがって、このような構成によって係合爪３１は、特に上端部が外側に回動して板体３０ｃの外側に飛び出すことにより、上記回収用バスケット２２の内側延出部２３ｂに係脱可能に係合するようになっている。
【００３９】
なお、上記第１の保持装置２４、第２の保持装置２５においてその３本のアーム２７は、それぞれの下端部（板体３０ｃ）がなす外径、すなわちこれら合計３つの板体３０ｃを通る円の直径が、上記回収用バスケット２２の内側延出部２３ｂの内径より僅かに小さくなるように形成されている。このような構成のもとに３本のアーム２７の板体３０ｃは、係合爪２９、３１が回動して内側に閉じた状態で、回収用バスケット２２の内側延出部２３ｂの内部に入り込めるようになっている。
【００４０】
図１（ａ）、（ｂ）に示すように、キャリブレーションチャンバ１５にはパージガス供給ライン４０と、ガス排出ライン４１とが接続されている。これにより、キャリブレーションチャンバ１５のメンテナンス用マンホール１６を開けるときには、ゲート弁１７を閉操作してキャリブレーションチャンバ１５を貯蔵タンク１内部雰囲気より切り離し、その後、該キャリブレーションチャンバ１５内に充満しているＬＮＧ４ａの気化ガスを、上記パージガス供給ライン４０より供給する窒素ガス等のパージガス４２によってガス排出ライン４１へパージさせることができるようになっている。
【００４１】
なお、上記貯蔵タンク１の貯蔵液体が−１６２℃の極低温を有するＬＮＧ４ａであるため、バスケット収納部２１、回収用バスケット２２、バスケット保持装置等、上記ＬＮＧ４ａに接する部材は、基本的にはステンレス製とされている。
【００４２】
以上の構成からなるディスプレーサ式液面計のディスプレーサ回収装置を使用する場合は、予め、図１（ａ）に示すように、ガイドパイプ１３の下端側のバスケット収納部２１に、回収用バスケット２２を収納させた状態としておく。なお、キャリブレーションチャンバ１５の上側にはバランス駆動機１０を取り付けた状態とし、この状態にて、図７に示したディスプレーサ式液面計Ｉと同様に、ガイドパイプ１３の内側で、ＬＮＧ４ａの液面に一定の吃水で配置させるディスプレーサ１２に接続してある測長ワイヤ１１のバランス駆動機１０からの巻き出し量に基づいて、上記貯蔵タンク１内のＬＮＧ４ａの液位を計測するようにする。
【００４３】
このようにしてディスプレーサ式液面計Ｉを稼働させている間、不測の事態によって測長ワイヤ１１が切れると、ディスプレーサ１２はガイドパイプ１３内で沈下し、バスケット収納部２１に収納されている回収用バスケット２２の内部に、収容されるようになる。その際、ガイドパイプ１３の下端部とバスケット収納部２１との間には、レデューサ１９が設けてあるので、ディスプレーサ１２が、たとえガイドパイプ１３内の軸心部より外れた位置を沈下した場合でも、このディスプレーサ１２は、レデューサ１９によってガイドされることで、バスケット収納部２１の内側の回収用バスケット２２内に確実に収容されるようになる。
【００４４】
一方、このようにして測長ワイヤ１１が切れると、バランス駆動機１０より巻き出している測長ワイヤ１１に、ディスプレーサ１２の重量による張力が作用しなくなるため、この張力の低下に基づいて、測長ワイヤ１１の切断が容易に検知される。
このように測長ワイヤ１１の切断が検知された場合は、まず、バランス駆動機１０より巻き出している測長ワイヤ１１を、すべてバランス駆動機１０側へ巻き上げる。
次に、ゲート弁１７を閉操作した後、上記キャリブレーションチャンバ１５内に充満しているＬＮＧ４ａの気化ガスをパージする。
【００４５】
次いで、メンテナンス用マンホール１６を開き、先に巻き上げた測長ワイヤ１１の下端部（先端部）にバスケット保持装置の第１の保持装置２４を取り付ける。なお、測長ワイヤ１１への第１の保持装置２４の取り付けについては、例えば測長ワイヤ１１に適宜な引っ掛け部材を設けておき、これを取付具２６の貫通孔２６ｂに引っ掛けることなどで行う。
【００４６】
このようにして第１の保持装置２４を取り付けたら、メンテナンス用マンホール１６を閉じ、さらにゲート弁１７を開操作した後、バランス駆動機１０より再度測長ワイヤ１１を巻き出し、第１の保持装置２４をガイドパイプ１３の下端部の回収用バスケット２２の内側まで下降させる。すると、係合爪２９は回動可能になっており、３本のアーム２７はその外径が回収用バスケット２２の内側延出部２３ｂの内径にほぼ等しくなるように形成されているので、第１の保持装置２４はその下端部が回収用バスケット２２の内側延出部２３ｂの内部に容易に入り込む。
【００４７】
すなわち、第１の保持装置２４を回収用バスケット２２の開口部内に落とし入れると、係合爪２９は図３（ｃ）中実線で示したように外側に開いているものの、回収用バスケット２２の内側延出部２３ｂに当接することにより、図５（ａ）に示すように内側に回動する。そして、さらに下降させると、図３（ｃ）中二点鎖線で示したように係合爪２９が略直立し、これが内側延出部２３ｂに干渉されないようになるため、アーム２７の下端部が回収用バスケット２２の開口部内に入り込む。すると、係合爪２９は内側延出部２３ｂへの当接が解除され、自重で再度回動することにより、外側に開く。したがって、その後第１の保持装置２４を引き上げることにより、図５（ｂ）に示すように係合爪２９は内側延出部２３ｂの内面側に下方から係合する。
【００４８】
ここで、バスケット収容部２１の内壁面と回収用バスケット２２の外面との間の隙間は外側延出部２３ａで覆われているので、第１の保持装置２４を下降させた際、これが上記の隙間に不測に嵌ってしまわないようになっている。
【００４９】
このようにして係合爪２９を内側延出部２３ｂに係合させたら、その状態を保持しつつバランス駆動機１０によって巻き出している測長ワイヤ１１を再度巻き上げる。これにより、回収用バスケット２２を引き上げることができ、したがってこれに収容されたディスプレーサ１２を回収することができる。すなわち、吊り上げた回収用バスケット２２がキャリブレーションチャンバ１５内に達したら、バランス駆動機１０を停止させ、ゲート弁１７を閉操作する。そして、キャリブレーションチャンバ１５内のＬＮＧ４ａの気化ガスをパージしてから、メンテナンス用マンホール１６を開け、吊り上げた回収用バスケット２２内に収容されているディスプレーサ１２を回収する。
【００５０】
このようにしてディスプレーサ１２を回収したら、バスケット保持装置を第１の保持装置２４から第２の保持装置２５に交換するべく、まず、第１の保持装置２４から回収用バスケット２２を取り外す。続いて、上記第１の保持装置２４の場合と同様にして測長ワイヤ１１に第２の保持装置２５を取り付けるとともに、この第２の保持装置２５によって回収用バスケット２２を吊り下げる。その際、第２の保持装置２５の係合爪３１は、通常時において図４（ｂ）中二点鎖線で示したようにその上端部を内側に回動して閉じているので、これら係合爪３１を一旦回収用バスケット２２の開口部内に落とし込んだ後、回収用バスケット２２及び第２の保持装置２５を逆さに転倒させる。すると、係合爪３１はその重心が偏って配置されているので、図４（ｂ）中実線で示すようにその上端部（転倒させたことで下側になっている）が外側に回動し、回収用バスケット２２の内側延出部２３ｂに係合可能な状態となる。
【００５１】
したがって、これら係合爪３１を内側延出部２３ｂに係合させた後、再度回収用バスケット２２及び第２の保持装置２５を転倒させて元の状態に正置させることにより、第２の保持装置２５で回収用バスケット２２を吊り下げた状態にする。そして、このように回収用バスケット２２を吊り下げた状態にしたら、この回収用バスケット２２を再度バスケット収納部２１内に収納するべく、メンテナンス用マンホール１６を閉じ、ゲート弁１７を開操作する。
【００５２】
続いて、バランス駆動機１０によって巻き上げた測長ワイヤ１１を再度巻き出し、第２の保持装置２５を下降させる。これにより、第２の保持装置２５に吊り下げた回収用バスケット２２を、図２に示したようにバスケット収納部２１内に収納する。そして、回収用バスケット２２がバスケット収納部２１の底部に到達した後、さらに第２の保持装置２５を下降させ、これをバスケット収納部２１内に落とし込む。
【００５３】
すると、回収用バスケット２２の内側延長部２３ｂに対する係合爪３１の係合が解除され、該係合爪３１は図６（ａ）に示すように回動して略直立し、その状態に保持される。したがって、この状態のもとで第２の保持装置２５を引き上げることにより、図６（ｂ）に示すように係合爪３１を内側延出部２３ｂに干渉させることなく、回収用バスケット２１から第２の保持装置２５を容易に取り外すことができる。
【００５４】
したがって、このようにして回収用バスケット２１から第２の保持装置２５を取り外したら、バランス駆動機１０によって測長ワイヤ１１を再度巻き上げ、その後、ゲート弁１７、メンテナンス用マンホール１６等を操作することにより、キャリブレーションチャンバ１５内において第２の保持装置２５を測長ワイヤ１１から取り外す。
【００５５】
その後、先に回収したディスプレーサ１２を測長ワイヤ１１に取り付け、その状態で再度バランス駆動機１０により測長ワイヤ１１を巻き出し、ディスプレーサ１２をＬＮＧ４ａの液面にまで下降させ、これを所定状態に保持する。これにより、ディスプレーサ式液面計Ｉの機能を回復することができる。
【００５６】
このようなディスプレーサ式液面計Ｉのディスプレーサ回収装置にあっては、測長ワイヤ１１が切れてディスプレーサ１２がガイドパイプ１３の底部にまで沈下した際、バランス駆動機１０を仮設ウインチへの交換することなく、その測長ワイヤ１１にバスケット保持装置としての第１の保持装置２４を取り付け、この第１の保持装置２４によって回収用バスケット２２を吊り上げることにより、ディスプレーサ１２を回収することができるようにしたので、従来のようにディスプレーサ１２を回収する際、一旦バランス駆動機１０を取り外し、その後仮設ウインチを取り付けるといった繁雑な作業が不要になり、作業性を格段に向上することができる。また、ディスプレーサ１２の回収用に、バランス駆動機１０とは別に仮設ウインチを備える必要が無くなり、したがって、仮設ウインチの保守管理が不要になってその分のコストを削減することができる。さらに、仮設ウインチに要する設備費も不要にして、ディスプレーサ回収装置全体の設備費を安価にすることができる。
【００５７】
また、バスケット保持装置として、第１の保持装置２４に加えて第２の保持装置２５を用意し、ディスプレーサ１２を回収した後回収用バスケット２２をバスケット収納部２１に収納する際、第１の保持装置２４に替えて第２の保持装置２５を用いるようにしたので、バスケット保持装置としての第１の保持装置２４、第２の保持装置２５のいずれについても、その機能が単純化して構成が簡易になり、これによって特に軽量化が可能になる。よって、バランス駆動機１０への負荷が少なくなり、このバランス駆動機１０によって無理なくディスプレーサ１２の回収を行うことができる。
【００５８】
また、回収用バスケット２２の吊り上げあるいは吊り下げの際、係合爪２９（３１）が不測に回動して内側延出部２３ｂへの係合が解除されてしまうことが、ストッパー２８（３２）によって防止されているので、回収用バスケット２２の吊り上げあるいは吊り下げをより確実に行うことができる。
さらに、バスケット収容部２１の内壁面と回収用バスケット２２の外面との間の隙間に係合爪２９（３１）が不測に嵌ってしまうことが、回収用バスケット２２の外側延出部２３ａによって防止されているので、回収用バスケット２２の吊り上げあるいは吊り下げをより容易にかつ確実に行うことができる。
【００５９】
なお、本発明は上記実施形態に限定されることなく、本発明の要旨を逸脱しない範囲で適宜変更可能である。例えば、ディスプレーサ１２、ガイドパイプ１３、バスケット収納部２１、回収用バスケット２２のサイズについては、図示したサイズに限定されることなく、実際の貯蔵タンク１のサイズや貯蔵する液体の性状に応じて適宜変更することができる。また、上記各部材の材質についても、貯蔵する液体の性状に応じて、ステンレス以外の材質を採用することもできる。
【００６０】
また、本発明のディスプレーサ回収装置は、ガイドパイプ１３を備えてなる形式のディスプレーサ式液面計をＬＮＧ４ａの貯蔵タンク１に設置する場合におけるディスプレーサ回収装置として用いるのに好適であるが、その他、いかなる液体を貯蔵する貯蔵タンク１に設置するディスプレーサ式液面計Ｉに適用してもよい。
【００６１】
また、回収用バスケット２２については、バスケット保持装置に保持した状態で吊り上げたり吊り下げたりした際、大きな抵抗を生じないようにＬＮＧ４ａ等の貯蔵液体を流動させることができ、かつ、測長ワイヤ１１が切れたときに回収用バスケット２２内へ沈下したディスプレーサ１２側に付着している測長ワイヤ１１の切れ端が容易に通過しない構造であれば、底２２ｂをパンチングメタル等のメッシュ以外の構造のものを採用してよく、さらには、側壁２２ａを底２２ｂと同様の構造にしてもよい。
【００６２】
また、バスケット保持装置に保持した状態で吊り上げたり、吊り下げたりした際、回収用バスケット２２がバランスをくずして傾いたり、振り子のように振れてしまったりするのを防止するため、回収用バスケット２２やバスケット保持装置にバランス用の錘を設けておいてもよい。
【符号の説明】
【００６３】
１…貯蔵タンク、１ａ…屋根部、４ａ…ＬＮＧ（貯蔵液体）、１０…バランス駆動機、１１…測長ワイヤ、１２…ディスプレーサ、１３…ガイドパイプ、１３ａ…屋根貫通部、１３ｂ…貯蔵タンク内に位置する部分、１６…メンテナンス用マンホール、１７…ゲート弁、１９…レデューサ、２１…バスケット収納部、２２…回収用バスケット、２３…延出部、２３ａ…外側延出部、２３ｂ…内側延出部、２４…第１の保持装置（バスケット保持装置）、２５…第２の保持装置（バスケット保持装置）、２６…取付具、２７…アーム、２８…ストッパー、２９…係合爪、３１…係合爪、３２…ストッパー
【図１】
0005639754.tif 000002
【図２】
0005639754.tif 000003
【図３】
0005639754.tif 000004
【図４】
0005639754.tif 000005
【図５】
0005639754.tif 000006
【図６】
0005639754.tif 000007
【図７】
0005639754.tif 000008